(57)【要約】【課題】  実運用状態で、故障状態にあるか否かの判定を容易に正しく行える歪補償式非線形電力増幅装置の故障判定方法を得る。【解決手段】    復調部１からの信号を歪補償テーブル２に入力して該復調部１からの信号に非線形歪の補償を行う歪補償値を乗算または加算する演算を行い、その出力を変調部３に入力し、変調部３の出力を非線形電力増幅器４で増幅し、その増幅出力の一部を負帰還して復調部１からの信号と比較し、その比較結果により歪検出部７で歪補償値を算出すると共にその比較結果によりこの装置の故障を故障判定手段１１で判定する。実運用時に、歪補償テーブル２に疑似信号を入れ、該疑似信号を入れる前の歪補償テーブル２の履歴と入れた後の歪補償テーブル２の履歴とを比較して故障を故障判定手段１１で判定する。【選択図】    図１
2005217627.tif 000002
【特許請求の範囲】
【請求項１】
復調部からの信号を歪補償テーブルに入力して該復調部からの信号に非線形歪の補償を行う歪補償値を乗算または加算する演算を行い、その出力を変調部に入力し、該変調部の出力を非線形電力増幅器で増幅し、その増幅出力の一部を負帰還して前記復調部からの信号と比較し、その比較結果により歪検出部で前記歪補償値を算出すると共にその比較結果によりこの装置の故障を故障判定手段で判定する歪補償式非線形電力増幅装置の故障判定方法において、
実運用時に前記歪補償テーブルに疑似信号を入れ、前記疑似信号を入れる前の前記歪補償テーブルの履歴と入れた後の前記歪補償テーブルの履歴とを比較して故障を判定することを特徴とする歪補償式非線形電力増幅装置の故障判定方法。
【請求項２】
復調部からの信号を歪補償テーブルに入力して該復調部からの信号に非線形歪の補償を行う歪補償値を乗算または加算する演算を行い、その出力を変調部に入力し、該変調部の出力を非線形電力増幅器で増幅し、その増幅出力の一部を負帰還して前記復調部からの信号と比較し、その比較結果により歪検出部で前記歪補償値を算出すると共にその比較結果によりこの装置の故障を故障判定手段で判定する歪補償式非線形電力増幅装置の故障判定方法において、
実運用時に前記歪補償テーブルに疑似信号を入れ、前記疑似信号を入れる前の前記歪補償テーブルの履歴と入れた後の前記歪補償テーブルの履歴とを比較し、同一アドレスでの誤差で故障を判定することを特徴とする歪補償式非線形電力増幅装置の故障判定方法。
【請求項３】
復調部からの信号を歪補償テーブルに入力して該復調部からの信号に非線形歪の補償を行う歪補償値を乗算または加算する演算を行い、その出力を変調部に入力し、該変調部の出力を非線形電力増幅器で増幅し、その増幅出力の一部を負帰還して前記復調部からの信号と比較し、その比較結果により歪検出部で前記歪補償値を算出すると共にその比較結果によりこの装置の故障を故障判定手段で判定する歪補償式非線形電力増幅装置の故障判定方法において、
実運用時に前記歪補償テーブルに疑似信号を入れ、前記疑似信号を入れる前の前記歪補償テーブルの履歴と入れた後の前記歪補償テーブルの履歴とを比較して同一アドレスでの誤差を求め、この操作を繰り返して前記誤差が小さくなるか否かで故障を判定することを特徴とする歪補償式非線形電力増幅装置の故障判定方法。
【発明の詳細な説明】
【技術分野】
【０００１】
本発明は、歪補償式非線形電力増幅装置の故障判定方法に関するものである。
【背景技術】
【０００２】
非線形歪がある非線形電力増幅器を用いた非線形電力増幅装置においては、非線形電力増幅器の出力信号を負帰還して入力信号との誤差が最小となる前置歪補正を行うようになっている。
【０００３】
このような歪補償式非線形電力増幅装置の故障の判定方法の１つとして、入力信号と非線形電力増幅器からの負帰還信号の電力を比較してフーリエ変換により発振の有無を判断する方法がある（例えば、特許文献１参照。）。
【０００４】
図３は、この歪補償式非線形電力増幅装置の従来例を示したものである。図において、１はＩＦ入力信号を入力として直交復調してベースバンド信号Ｉ１とＱ１を出力する第１の復調部、２はベースバンド信号Ｉ１とＱ１を入力としてこれらに非線形歪の補償を行う歪補償量ΔＲ，Δθを乗算または加算する演算を行ってベースバンド信号Ｉ２とＱ２を形成する歪補償テーブル、３はベースバンド信号Ｉ２とＱ２を入力としてＲＦ信号よりなる変調された信号を形成する変調部、４は変調された信号を増幅する非線形電力増幅器、５は増幅された出力を分配して出力する分配器である。６は分配器５の出力を負帰還入力としてベースバンド信号Ｉ３とＱ３を形成する第２の復調部、７はベースバンド信号Ｉ１，Ｑ１  とベースバンド信号Ｉ３，Ｑ３を入力として歪補償量ΔＲ，Δθを形成する歪検出部、８はベースバンド信号Ｉ１，Ｑ１とベースバンド信号Ｉ３，Ｑ３を入力としてシステム故障を検出するフーリエ変換回路を用いたシステム故障検出部、９はシステム故障検出部８の出力を用いて故障を判定する故障判定部である。
【０００５】
このような歪補償式非線形電力増幅装置では、第１の復調部１から出力されるベースバンド信号Ｉ１，Ｑ１と第２の復調部６から出力されるベースバンド信号Ｉ３，Ｑ３を入力としてシステム故障を検出するシステム故障検出部８の検出出力を用いて故障判定部９で故障を判定していた。
【特許文献１】特開２００３−８３６０号公報
【発明の開示】
【発明が解決しようとする課題】
【０００６】
しかしながら、このような歪補償式非線形電力増幅装置の故障の判定方法では、判定の基準となる値が装置内部の歪補償量の変化で変化し、この変化した値で故障の判定をするので、故障状態にあるか否かの判定がしにくい問題点があった。
【０００７】
本発明の目的は、実運用状態で、故障状態にあるか否かの判定を容易に正しく行える歪補償式非線形電力増幅装置の故障判定方法を提供することにある。
【課題を解決するための手段】
【０００８】
本発明は、復調部からの信号を歪補償テーブルに入力して該復調部からの信号に非線形歪の補償を行う歪補償値を乗算または加算する演算を行い、その出力を変調部に入力し、該変調部の出力を非線形電力増幅器で増幅し、その増幅出力の一部を負帰還して前記復調部からの信号と比較し、その比較結果により歪検出部で前記歪補償値を算出すると共にその比較結果によりこの装置の故障を故障判定手段で判定する歪補償式非線形電力増幅装置の故障判定方法を対象とする。
【０００９】
本発明に係る歪補償式非線形電力増幅装置の故障判定方法では、実運用時に前記歪補償テーブルに疑似信号を入れ、前記疑似信号を入れる前の前記歪補償テーブルの履歴と入れた後の前記歪補償テーブルの履歴とを比較して故障を判定することを特徴とする。
【００１０】
また本発明に係る歪補償式非線形電力増幅装置の故障判定方法では、実運用時に前記歪補償テーブルに疑似信号を入れ、前記疑似信号を入れる前の前記歪補償テーブルの履歴と入れた後の前記歪補償テーブルの履歴とを比較し、同一アドレスでの誤差で故障を判定することを特徴とする。
【００１１】
さらに本発明に係る歪補償式非線形電力増幅装置の故障判定方法では、実運用時に前記歪補償テーブルに疑似信号を入れ、前記疑似信号を入れる前の前記歪補償テーブルの履歴と入れた後の前記歪補償テーブルの履歴とを比較して同一アドレスでの誤差を求め、この操作を繰り返して前記誤差が小さくなるか否かで故障を判定することを特徴とする。
【発明の効果】
【００１２】
本発明の歪補償式非線形電力増幅装置の故障判定方法では、実運用時に歪補償テーブルに疑似信号を入れ、該疑似信号を入れる前の歪補償テーブルの履歴と入れた後の歪補償テーブルの履歴とを比較して故障を判定するので、比較対象して判断を行うことができ、このため故障状態にあるか否かの判定を、装置の出力を止めることなく、実運用状態で容易に正しく行うことができる。
【００１３】
特に、疑似信号を入れる前の歪補償テーブルの履歴と入れた後の歪補償テーブルの履歴とを比較し、同一アドレスでの誤差で故障を判定すると、故障の判定を実運用状態で簡単に行うことができる。
【００１４】
また、同一アドレスでの誤差を求める操作を繰り返して、該誤差が小さくなるか否かで故障を判定すると、実運用状態において、誤差の値の動きで簡単に故障を判定することができる。
【発明を実施するための最良の形態】
【００１５】
図１及びず２は本発明の歪補償式非線形電力増幅装置の故障判定方法を実施するための最良の形態の一例を示したもので、図１は本例で用いる歪補償式非線形電力増幅装置のブロック図、図２はこの歪補償式非線形電力増幅装置で用いている歪補償テーブルの振幅値のアドレスとデータの特性図である。なお、前述した図３と対応する部分には、同一符号を付けて示している。
【００１６】
本例の歪補償式非線形電力増幅装置では、図１に示すように、実運用時に歪補償テーブル２に疑似信号を入れる疑似信号発生部１０が接続されている。また、本例では、システム故障検出部８と故障判定部９とで故障判定手段１１が構成されている。
【００１７】
このような歪補償式非線形電力増幅装置を用いて行う、この装置の故障判定方法について説明する。
【００１８】
疑似信号発生部１０から歪補償テーブル２に疑似信号を入れる前に、該歪補償テーブル２の履歴１２を、図２に示すように、故障判定手段１１に保存する。疑似信号を入れる前の歪補償テーブル２の履歴１２は、図２で黒丸を結んだ線で示している。
【００１９】
次に、疑似信号発生部１０から歪補償テーブル２に疑似信号を入れる。疑似信号は、例えば、歪補償テーブル２の一部の、図２に示すようなアドレスＡ、アドレスＢ、アドレスＣの、疑似信号を入れる前の歪補償テーブル２の履歴１２上に、補償値を加算（または減算）することで発生させる。
【００２０】
この時の疑似信号のアドレスやデータ値は、予めこの歪補償式非線形電力増幅装置を動かし、その出力を周波数変換して観測し、実運用上で問題ないものを設定する。
【００２１】
疑似信号を入れる前の歪補償テーブル２の履歴と入れた後の歪補償テーブル２の履歴とを故障判定手段１１で比較して故障を判定する。具体的には、疑似信号を入れる前の歪補償テーブル２の履歴と入れた後の歪補償テーブル２の履歴とを故障判定手段１１で比較し、同一アドレスでの誤差で故障を判定する。より具体的に説明すると、疑似信号を入れる前の歪補償テーブル２の履歴と入れた後の歪補償テーブル２の履歴とを故障判定手段１１で比較して同一アドレスでの誤差を求め、この操作を繰り返して誤差が小さくなるか否かで故障を判定する。故障していないと、誤差が徐々に小さくなり、ついには誤差が零になって、疑似信号を入れる前の歪補償テーブル２の履歴１２上に乗る（重なる）。
【００２２】
このような現象を、図示しない液晶等の表示器上に撮して表示させることにより、判定することが好ましい。
【図面の簡単な説明】
【００２３】
【図１】本発明の歪補償式非線形電力増幅装置の故障判定方法を実施するために用いる歪補償式非線形電力増幅装置のブロック図である。
【図２】歪補償式非線形電力増幅装置で用いている歪補償テーブルの振幅値のアドレスとデータの特性図である。
【図３】従来の歪補償式非線形電力増幅装置のブロック図である。
【符号の説明】
【００２４】
１  第１の復調部
２  歪補償テーブル
３  変調部
４  非線形電力増幅器
５  分配器
６  第２の復調部
７  歪検出部
８  システム故障検出部
９  故障判定部
１０  疑似信号発生部
１１  故障判定手段
【図１】
2005217627.tif 000003
【図２】
2005217627.tif 000004
【図３】
2005217627.tif 000005